(57)【特許請求の範囲】
【請求項１】
原稿を搬送する搬送手段と、
前記搬送手段によって搬送される原稿に対向する状態で配置されるとともに、前記搬送手段による原稿搬送方向の上流側又は下流側を高位に配置した傾斜面を有し、かつ当該傾斜面と反対側の面を、当該傾斜面の傾きに応じて傾斜配置してなる透明部材と、
前記透明部材上を搬送される原稿の画像を読み取る読取手段と
を備えることを特徴とする画像読取装置。
【請求項２】
前記読取手段による主走査方向の読取倍率を調整する倍率調整手段を備える
ことを特徴とする請求項１記載の画像読取装置。
【発明の詳細な説明】
【０００１】
【発明の属する技術分野】
本発明は、複写機、スキャナー装置等に用いられる画像読取装置に関する。
【０００２】
【従来の技術】
デジタル複写機、ファクシミリ装置、スキャナー装置には、原稿からの反射光をイメージセンサに結像して読み取る画像読取装置が用いられている。
【０００３】
図１０は従来の画像読取装置の一例を示す概略図である。図示した画像読取装置１は、装置フレーム２、プラテンガラス等の原稿台３、プラテンカバー等の原稿押さえ部材４、照明ランプ５、第1〜第３ミラー６Ａ〜６Ｃ、結像用のレンズ７、ＣＣＤラインセンサ等からなるイメージセンサ８を備えて構成されている。また、画像読取装置１の上部には自動原稿送り装置９が搭載されている。
【０００４】
装置フレーム２は金属等の剛体によって構成されたもので、その上方を開口した略箱型構造をなしている。原稿台３は、上記開口を塞ぐかたちで装置フレーム２の上部に取り付けられている。原稿押さえ部材４は、装置フレーム２の上部に開閉自在に取り付けられ、原稿台３に置かれた原稿を上から押さえるものである。照明ランプ５と第1ミラー６Ａはフルレートキャリッジ１０に搭載され、第２ミラー６Ｂと第３ミラー６Ｃはハーフレートキャリッジ１１に搭載されている。
【０００５】
レンズ７は、上記第1，第２，第３ミラー６Ａ，６Ｂ，６Ｃによって反射された光学像を光学的に縮小してイメージセンサ８に結像させるものである。イメージセンサ８はレンズ７によって結像された光学像を光電変換するもので、これによって得られた画像信号が駆動基板１２を介して信号処理基板１３に送られる。
【０００６】
ここで、原稿台３に置かれた原稿の画像は、上記フルレートキャリッジ１０に搭載された照明ランプ５と第1ミラー６Ａ、上記ハーフレートキャリッジ１１に搭載された第２，第３ミラー６Ｂ，６Ｃ、及びレンズ７、イメージセンサ８からなる光学走査系によって読み取られる。すなわち、原稿台３にセットされた原稿の画像を読み取る際は、フルレートキャリッジ１０とハーフレートキャリッジ１１が２：１の割合でＳＣＡＮ方向（矢印方向）に移動する。このとき、照明ランプ５の光が原稿の被読取面に照射されるとともに、その原稿からの反射光（光学像）が第１，第２，第３ミラー６Ａ，６Ｂ，６Ｃで順に反射されてレンズ７に導かれる。そして、レンズ７で縮小されてイメージセンサ８の受光面に結像される。これにより、原稿の画像が光学走査系によって読み取られる。
【０００７】
自動原稿送り装置９は、原稿トレイ１４、一対のレジストローラ１５、送りローラ１６、搬送ガイド１７、排出ローラ１８等を備えて構成されている。この自動原稿送り装置９においては、原稿トレイ１４に置かれた原稿１９が一対のレジストローラ１５により送り出された後、送りローラ１６によって一定の速度で搬送される。その際、原稿１９は、搬送ガイド１７によって第２の原稿台２０上を通過するように案内され、そこで上記光学走査系により原稿１９の画像が読み取られる。また、第２の原稿台２０上を通過した原稿１９は、排出ローラ１８によって原稿押さえ部材４上（又は原稿押さえ部材４上に設けられた原稿排出トレイ）に排出される。以下、第２の原稿台２０との混同を避けるために、先述した原稿台３を「第１の原稿台」と称する。
【０００８】
ところで上記図１０に示す画像読取装置においては、画像読取位置となる第２の原稿台２０上で原稿１９の被読取面（読み取り対象となる画像が記録されている面）が下方を向くよう、原稿トレイ１４で原稿を下向きにセットし、その原稿を下向きのまま直線的に搬送して原稿押さえ部材４上に排出する構成になっている。しかし、こうした直線的な搬送方式では、読み取り前の原稿を載置するスペースと読み取り後の原稿を排出するスペースとを一直線上に確保する必要があるため、自動原稿送り装置９の占有スペースが広くなってしまう。
【０００９】
そのため近年では、図１１に示すような省スペースタイプの画像読取装置が多用されている。この画像読取装置１は、自動原稿送り装置９の部分を除いて先の図１０に示した装置装置と同様のものとなっている。
【００１０】
上記図１１に示す画像読取装置１に搭載された自動原稿送り装置９は、原稿トレイ２１、一対のレジストローラ２２、搬送ローラ２３、送りローラ２４、搬送ガイド２５、排出ローラ２６等を備えて構成されている。この自動原稿送り装置９においては、原稿トレイ２１に置かれた原稿１９が一対のレジストローラ２２により送り出された後、搬送ローラ２３及び送りローラ２４によって一定の速度で搬送される。その際、原稿１９は、搬送ローラ２３及び送りローラ２４によって略Ｕ字状をなすように搬送されるとともに、搬送ガイド２５によって図１２に示すように第２の原稿台２０上を通過するように案内され、そこで上記光学走査系により原稿１９の画像が読み取られる。また、第２の原稿台２０上を通過した原稿１９は、排出ローラ２６によって原稿押さえ部材４上に排出される。
【００１１】
この画像読取装置１においては、原稿トレイ２１に上向きにセットされた原稿１９を略Ｕ字状に搬送することにより、原稿１９の被読取面を下向きにして第２の原稿台２０上を通過させたのち、その原稿１９を下向きのまま原稿押さえ部材４上に排出する構成になっている。かかる装置構成では、読み取り前の原稿を載置するスペースと読み取り後の原稿を排出するスペースとを上下に配置することにより、装置の省スペース化を実現している。
【００１２】
【発明が解決しようとする課題】
しかしながら上記図１１に示す画像読取装置１においては、次のような不具合があった。すなわち、この画像読取装置１では、原稿トレイ２１に上向きにセットされた原稿１９を略Ｕ字状に搬送して第２の原稿台２０上を通過させるため、原稿１９自体の撓み変形（湾曲変形）によって被読取面が第２の原稿台２０に押し付けられた状態となる。そのため、例えば原稿１９の被読取面に消しゴムかすや紙紛などのゴミが付着していると、上述のように略Ｕ字状に搬送される原稿１９の被読取面が下を向いた瞬間に上記ゴミが第２の原稿台２０上に落下・散乱し、さらに原稿１９と一緒に押し付けられることで、第２の原稿台２０上にゴミが付着してしまう。こうして第２の原稿台２０上に付着したゴミが、上記光学走査系による画像読取位置に停滞すると、そのゴミによって照明ランプ５からの光が遮られてしまうため、光学走査系による読取画像に黒筋や白抜けなどの欠陥が発生してしまう。
【００１３】
こうした不具合は、先の図１０に示す画像読取装置１でも発生するものの、特に、省スペースタイプの画像読取装置１（図１１）では、原稿１９を略Ｕ字状に湾曲させて搬送する関係でゴミが落下しやすく、その発生頻度が高いものとなっている。
【００１４】
こうした不具合への対応策として本出願人は、特開平９−３０７６９５号公報において、第２の原稿台２０上に原稿１９を送り込むにあたり、上記光学走査系による画像読取位置で原稿１９を第２の原稿台２０に接触させない当接防止部材を設ける技術を提案している。この公報に記載の技術によれば、原稿１９の被読取面に付着したゴミを当接防止部材上に落下させることができるとともに、第２の原稿台２０に原稿１９が押し付けられることで当該第２の原稿台２０上にゴミが付着するのを回避することができる。
【００１５】
ただし、上記公報に記載の技術にあっては、原稿の読取枚数が増加すると、それにつれて当接防止部材上に溜まったゴミが第２の原稿台２０上に落下し、さらに原稿搬送時の静電気作用等の影響で第２の原稿台２０上のゴミが徐々に移動して画像読取位置に停滞することにより、上記同様に読取画像に黒筋や白抜けなどの画像欠陥が発生する恐れがあった。
【００１６】
【課題を解決するための手段】
本発明に係る画像読取装置においては、原稿を搬送する搬送手段と、この搬送手段によって搬送される原稿に対向する状態で配置されるとともに、搬送手段による原稿搬送方向の上流側又は下流側を高位に配置した傾斜面を有し、かつ当該傾斜面と反対側の面を、当該傾斜面の傾きに応じて傾斜配置してなる透明部材と、この透明部材上を搬送される原稿の画像を読み取る読取手段とを備えた構成を採用している。
【００１７】
上記構成の画像読取装置においては、搬送手段による原稿の搬送中に、原稿の被読取面に付着していたゴミが透明部材上に落下しても、この落下したゴミが一箇所に停滞することなく、透明部材の傾斜面に沿ってスムーズに滑り落ちるようになる。
【００１８】
【発明の実施の形態】
以下、本発明の実施の形態について図面を参照しつつ詳細に説明する。なお、本実施形態においては、先の従来技術で挙げた構成要素と同様の部分に同じ符合を付して説明することとする。
【００１９】
図１は本発明の実施形態に係る画像読取装置を示す概略図であり、図２はその要部を示す概略図である。図示した画像読取装置１は、装置フレーム２、プラテンガラス等の第１の原稿台３、プラテンカバー等の原稿押さえ部材４、照明ランプ５、第1〜第３ミラー６Ａ〜６Ｃ、結像用のレンズ７、ＣＣＤラインセンサ等からなるイメージセンサ８を備えて構成されている。また、画像読取装置１の上部には自動原稿送り装置９が搭載されている。
【００２０】
装置フレーム２は金属等の剛体によって構成されたもので、その上方を開口した略箱型構造をなしている。第１の原稿台３は、上記開口を塞ぐかたちで装置フレーム２の上部に取り付けられている。原稿押さえ部材４は、装置フレーム２の上部に開閉自在に取り付けられ、第１の原稿台３に置かれた原稿を上から押さえるものである。照明ランプ５と第1ミラー６Ａはフルレートキャリッジ１０に搭載され、第２ミラー６Ｂと第３ミラー６Ｃはハーフレートキャリッジ１１に搭載されている。
【００２１】
レンズ７は、上記第1，第２，第３ミラー６Ａ，６Ｂ，６Ｃによって反射された光学像を光学的に縮小してイメージセンサ８に結像させるものである。イメージセンサ８は、レンズ７によって結像された光学像を光電変換するもので、例えば多数の読取画素を備えたイメージセンサ（ＣＣＤラインセンサ等）によって構成される。このイメージセンサ８によって得られた画像信号は、駆動基板１２を介して信号処理基板１３に送られる。
【００２２】
ここで、第１の原稿台３に置かれた原稿の画像は、上記フルレートキャリッジ１０に搭載された照明ランプ５と第1ミラー６Ａ、上記ハーフレートキャリッジ１１に搭載された第２，第３ミラー６Ｂ，６Ｃ、及びレンズ７、イメージセンサ８からなる光学走査系によって読み取られる。すなわち、第１の原稿台３にセットされた原稿の画像を読み取る場合は、フルレートキャリッジ１０とハーフレートキャリッジ１１が２：１の割合でＳＣＡＮ方向（矢印方向）に移動する。このとき、照明ランプ５の光が原稿の被読取面に照射されるとともに、その原稿からの反射光（光学像）が第１，第２，第３ミラー６Ａ，６Ｂ，６Ｃで順に反射されてレンズ７に導かれる。そして、レンズ７で縮小されてイメージセンサ８の受光面に結像される。これにより、原稿の画像が光学走査系によって読み取られる。
【００２３】
自動原稿送り装置９は、原稿トレイ２１、一対のレジストローラ２２、搬送ローラ２３、送りローラ２４、搬送ガイド２５、排出ローラ２６等を備えて原稿押せ部材４と一体に構成されている。この自動原稿送り装置９においては、原稿トレイ２１に置かれた原稿１９が一対のレジストローラ２２により送り出された後、搬送ローラ２３及び送りローラ２４によって一定の速度で搬送される。その際、原稿１９は、搬送ローラ２３及び送りローラ２４によって略Ｕ字状をなすように搬送されるとともに、搬送ガイド２５によって第２の原稿台２０上を通過するように案内され、そこで上記光学走査系により原稿１９の画像が読み取られる。また、第２の原稿台２０上を通過した原稿１９は、排出ローラ２６によって原稿押さえ部材４上（又は原稿押さえ部材４上に設けられた原稿排出トレイ）に排出される。
【００２４】
第２の原稿台２０は、例えば長尺の板状構造をなす透明なガラスプレートで構成されるもので、本発明における透明部材に相当するものである。この第２の原稿台２０は、上記搬送ローラ２３、送りローラ２４及び搬送ガイド２５を含む搬送手段によって搬送される原稿１９（被読取面）に対向する状態で配置されている。なお、本実施形態においては第２の原稿台２０の材質としてガラスを用いているが、これ以外にも例えば透明な樹脂を用いてもよい。
【００２５】
これに対して、上記光学走査系のフルレートキャリッジ１０は、第２の原稿台２０の下方をホームポジションとしている。そして光学走査系は、後述する動作モードに応じて、フルレートキャリッジ１０を上記ホームポジションから図中矢印で示す副走査方向（ＳＣＡＮ方向）に移動して第1の原稿台３に置かれた原稿の画像を読み取るとともに、フルレートキャリッジ１０を上記ホームポジションに停止させて第２の原稿台２０上に搬送される原稿１９の画像を読み取る構成になっている。
【００２６】
以後、第１の原稿台３に置かれた原稿の画像を光学走査系で読み取る場合の動作モードを「第1の読み取りモード」といい、自動原稿送り装置９によって第２の原稿台２０上に搬送された原稿の画像を光学走査系で読み取る場合の動作モードを「第２の読み取りモード」という。
【００２７】
ここで本実施形態においては、第1の原稿台３を水平状態に配置しているのに対し、第２の原稿台２０を水平状態から所定の角度だけ傾斜させることにより、第２の原稿台２０が搬送手段による原稿搬送方向Ｆ（図２参照）の上流側（図の左側）を下流側（図の右側）よりも高位に配置した傾斜面２０Ａを有するものとなっている。この傾斜面２０Ａは、第２の原稿台２０上に搬送される原稿１９の被読取面に近接（場合によっては接触）して対向配置されるもので、例えば、水平状態にある第1の原稿台３の上面（原稿載置面）に対して、ほぼ３０°の傾斜角度をもって配置されている。なお、図１と図２では、照明ランプ５、第１ミラー６Ａの位置関係が逆になっているが、どちらも機能上の差異はない。
【００２８】
このような傾斜面２０Ａを有する第２の原稿台２０を備えた画像読取装置１においては、一対のレジストローラ２２、搬送ローラ２３及び送りローラ２４により第２の原稿台２０上に原稿１９を搬送したときに、仮に、原稿１９の被読取面に付着していたゴミが第２の原稿台２０上に落下したとしても、そのゴミが傾斜面２０Ａに沿って滑り落ちるようになる。これにより、第２の原稿台２０上において、光学走査系による画像読取位置にゴミが停滞することがなくなるため、読取画像に黒線や白抜け等の欠陥が生じるのを有効に防止することができる。
【００２９】
なお、上記実施形態においては、第２の原稿台２０を全体的に傾かせることにより傾斜面２０Ａを形成するようにしたが、これ以外にも、例えば第２の原稿台２０の厚み寸法を変えることにより、第２の原稿台２０を全体的に傾かせなくても上記同様の傾斜面２０Ａを形成することが可能である。
【００３０】
また、上記実施形態においては、第２の原稿台２０の傾斜面２０Ａの配置形態として、原稿搬送方向Ｆの上流側を下流側よりも高位に配置した例を示したが、これと反対に原稿搬送方向Ｆの下流側を上流側よりも高位に配置した場合でも、傾斜面２０Ａに沿ったゴミの滑落によって所望の効果を得ることができる。
【００３１】
ただし、先述のように原稿搬送方向Ｆの上流側を下流側よりも高位に配置した場合は、次のような特有の効果が得られる。すなわち、搬送手段による原稿の搬送方向Ｆと傾斜面２０Ａでのゴミの移動方向（滑り落ちる方向）とが揃うため、原稿搬送時の静電気作用等によって傾斜面２０Ａ上でのゴミの移動を促進し、第２の原稿台２０上から素早くゴミを取り除くことができる。その結果、光学走査系による画像読取位置にゴミが停留することで生じる黒線、白抜け等の画質欠陥をより確実に防止することが可能となる。また、第２の原稿台２０の傾斜面２０Ａと、第２の原稿台２０上を通過する原稿の被読取面とがほぼ平行に配置される搬送形態となるため、第１の原稿台２０（傾斜面２０Ａ）に原稿が押し付けられることがない。よって、第２の原稿台２０へのゴミの付着についても有効に防止することができる。
【００３２】
ところで、上記実施形態のように第２の原稿台２０を全体的に傾斜させて傾斜面２０Ａを形成すると、第２の原稿台２０の屈折率の影響で、原稿の被読取面に対する光学走査系の読み取り光軸の角度が直角でなくなる。そうすると、光学走査系では原稿の被読取面を斜め方向から読み取るかたちとなるため、第２の原稿台２０上に搬送された原稿に対し、イメージセンサ８の１画素あたりの投射寸法が原稿搬送方向Ｆで変化してしまう。その結果、同じ原稿の画像を読み取る場合でも、第1の原稿台３にセットして読み取る場合（第１の読み取りモード）と、自動原稿送り装置９により第２の原稿台２０上に搬送して読み取る場合（第２の読み取りモード）とで、読取画像の画質（解像度）に違いが生じてしまう。具体的には、第２の原稿台２０上に搬送して読み取る場合の方が、低い画質で読み取られることになる。
【００３３】
また、上述のように縮小型の光学走査系を用いた画像読取装置１では、原稿面からイメージセンサ受光面までの光学的距離（光路長）が変動すると、それに連動して主走査方向（副走査方向と直交する方向）の結像倍率も変動することになる。これに対して上記実施形態のように傾斜面２０Ａを有する第２の原稿台２０を採用した場合は、その傾斜面２０Ａに沿うように原稿面も斜めに配置されるため、キャリッジの停止位置精度や第２の原稿台２０の取付位置精度等により、上記光学的距離に変動が生じやすいものとなる。
【００３４】
その結果、同じ原稿の画像を読み取る場合でも、第1の原稿台３にセットして読み取る場合と、自動原稿送り装置９により第２の原稿台２０上に搬送して読み取る場合とで、主走査方向の読取倍率に誤差が生じやすくなる。
【００３５】
そこで本実施形態においては、以下に述べる応用例によって上記の難点を解消することとした。
【００３６】
図３は本実施形態の第1応用例の構成を示す図である。図３から分かるように、第２の原稿台２０の厚み寸法は、傾斜面２０Ａの高位側（図の左側）から低位側（図の右側）に向かって連続的に小さく（薄く）なるように設定され、これによって第２の原稿台２０の下面（傾斜面２０Ａと反対側の面）２０Ｂが傾斜した状態で配置されている。
【００３７】
さらに詳述すると、例えば図４に示すように、第２の原稿台２０の傾斜面２０Ａが水平基準面に対してθ１＝３０°の傾きをもって配置されている場合、第２の原稿台２０の屈折率を一般的なガラスの屈折率ｎ１＝１．５１８、第２の原稿台２０の下面２０Ｂを水平基準面に対して傾斜面２０Ａと同じ方向にθ２＝６７．４８５°傾けて配置する。これにより、水平基準面に直交する垂直方向の光は、第２の原稿台２０の下面２０Ｂと直角なす垂線Ｓとθ３＝６７．４８５°の角度をなし、かつ第２の原稿台２０の内部では、空気の屈折率をｎ２＝１とした公式ｎ２×ｓｉｎθ３＝ｎ１×ｓｉｎθ４より、θ４＝ｓｉｎ-1{ｓｉｎ（６７．４８５°)／１．５１８}＝３７．４８５°の角度をなして傾斜面２０Ａ上に進むことになる。こうして傾斜面２０Ａ上に進む光は、当該傾斜面２０Ａと直角をなすものとなり、これによって原稿の被読取面に対する光学走査系の読み取り光軸を直角に補正することができる。
【００３８】
その結果、同じ原稿の画像を読み取る場合に、第1の原稿台３にセットして読み取る場合（第１の読み取りモード）と、自動原稿送り装置９により第２の原稿台２０上に搬送して読み取る場合（第２の読み取りモード）とで、読取画像の画質（解像度）を高い品質で均一化することが可能となる。
【００３９】
図５は本実施形態の第２応用例を示す画像読取装置のブロック図である。図５において、ＣＰＵ（中央演算処理装置）３１は、予め設定された制御プログラムに従って装置全体の処理動作を制御するものである。このＣＰＵ３１には、上記光学走査系におけるキャリッジ１０，１１の移動動作や照明ランプ５の点灯動作、さらには自動原稿送り装置９の各ローラの回転動作を制御する各種の駆動回路（不図示）とともに、倍率調整回路３２が接続されている。
【００４０】
倍率調整回路３２は、ＣＣＤ等のイメージセンサ８からアンプ（ＡＭＰ）３３、Ａ／Ｄ（アナログ／デジタル）変換器３４及びシェーディング補正回路３５を経由して取り込まれた画像データの読取倍率を調整するものである。この倍率調整回路３２によって調整される読取倍率は、イメージセンサ８によって走査される主走査方向の読取倍率である。
【００４１】
補正ＲＡＭ（ＲＡＭはランダム・アクセス・メモリの略）３６は、倍率設定のためのデータを格納するものである。この補正ＲＡＭ３６には、倍率設定用のデータとして、第1の読み取りモードに対応する倍率設定値αと、第２の読み取りモードに対応する倍率設定値βが格納されている。また、これら倍率設定用のデータ（倍率設定値α,β）は、操作パネル３７を介して任意に設定変更できる構成になっている。
【００４２】
このような装置構成を採用することにより、第1の読み取りモードで動作させたときの読取倍率と第２の読み取りモードで動作させたときの読取倍率とが異なる場合に、それぞれの読み取りモードに対応して補正ＲＡＭ３６に格納された倍率設定値α,βを操作パネル３７を使って変更することにより、読み取りモードの違いによる読取倍率の誤差を解消することができる。
【００４３】
ちなみに、本第２応用例においては、第1の読み取りモードでの読取倍率と第２の読み取りモードでの読取倍率を個別に設定し得る構成としたが、両読み取りモードでの読取倍率を揃えるにあたっては、いずれか一方の読み取りモードでの読取倍率を設定し得る構成であればよい。ただし、第1の読み取りモードにおいては、水平状態に配置された第１の原稿台３に原稿がセットされ、かつ第１の原稿台３と平行に各キャリッジ１０，１１が移動することから、読取倍率の変化（狂い）が生じにくく、また一旦倍率調整した後はほとんど再調整の必要がない。そのため、第２の読み取りモードでの読取倍率を調整する手段を備えることが非常に有効となる。
【００４４】
さらに、図６に示すように画像読取装置で読み取り可能な最大原稿幅Ｗ１の外側でかつイメージセンサ８で撮像可能な最大撮像幅Ｗ２の内側にそれぞれマークＭ１，Ｍ２を設けることにより、後述するＣＰＵ３１の処理動作によって主走査方向の読取倍率を自動的に調整することも可能となる。なお、図６においては、第２の原稿台２０の上方に配置される搬送シュート２５にマークＭ１，Ｍ２を設けるようにしているが、上記の配置条件で第２の原稿台２０に同様のマークを設けるようにしてもよい。
【００４５】
図７は倍率調整に際してＣＰＵ３１により実行される処理手順を示すフローチャートである。図示のように、ＣＰＵ３１は、先ず、キャリッジモータを駆動してフルレートキャリッジ１０とハーフレートキャリッジ１１を副走査方向に移動させる一方、各々のキャリッジ１０，１１が第２の読み取りモードに対応した位置（例えば、キャリッジホームポジション）に到達したか否かをポジションセンサからの検知信号に基づいて判断する（ステップＳ１，Ｓ２）。そして、各々のキャリッジ１０，１１が第２の読み取りモードに対応した位置に到達したところでキャリッジの移動を停止させる（ステップＳ３)。
【００４６】
続いて、ＣＰＵ３１は、照明ランプ５を点灯し、上記マークＭ１，Ｍ２の画像をイメージセンサ８で読み取る（ステップＳ４，Ｓ５）。その後、ＣＰＵ３１は、先に読み取った画像から、マークＭ１，Ｍ２間の距離（２点間距離）Ｘを算出し、さらにその算出した距離Ｘを用いて倍率誤差ΔＸを算出する（ステップＳ６，Ｓ７）。倍率誤差ΔＸの算出にあたっては、例えばマーク形成時におけるマークＭ１，Ｍ２間の距離（実距離）をＬとすると、ΔＸ＝Ｘ／Ｌ×１００で求めることができる。一例として、Ｘ＝３０５ｍｍ,Ｌ＝３００ｍｍのときは、ΔＸ＝１０１．６７％と算出される。
【００４７】
こうして倍率誤差ΔＸを算出すると、これに続いてＣＰＵ３１は、補正ＲＡＭ３６内に上記倍率誤差ΔＸを倍率設定用のデータ（この場合は倍率設定値α）として書き込む（ステップＳ８）。以後、第２の読み取りモードで動作する場合は、ステップＳ８で書き込まれた倍率設定用のデータに基づいて主走査方向の読取倍率が補正（調整）される。
【００４８】
ちなみに、倍率誤差ΔＸが１０１．６７％と算出された場合の具体的な倍率調整手法としては、イメージセンサ８によって得られる各画素データのうち、１画素目のデータを１倍した値と２画素のデータを０．０１６７倍した値とを加算するとともに、その加算値を１．０１６７で割った値を１画素目の補正データとし、これと同様の演算を２画素目以降のデータについても行うことにより、実倍率に整合した読み取り画像（イメージデータ）を出力することができる。
【００４９】
このように２つのマークＭ１，Ｍ２を設けてそれらの画像を読み取るとともに、その読み取り結果に基づいてマークＭ１，Ｍ２間の距離を算出し、かつその算出結果に基づいて倍率設定用のデータを求めることにより、主走査方向の読み取り倍率を自動的に調整することが可能となる。
【００５０】
なお、上記第２応用例においては、主走査方向の読取倍率を電気的な処理によって調整する場合を例に挙げて説明したが、これ以外にも、機械的に読取倍率を調整することも可能である。以下に、その具体的な事例を２つ挙げて説明する。
【００５１】
一つは、第２の原稿台２０を高さ方向に位置調整する調整機構（以下、第1調整機構という）を用いたもので、もう一つは、第２の原稿台２０を原稿搬送方向に沿う方向に位置調整する調整機構（以下、第２の調整機構という）を用いたものである。
【００５２】
図８は倍率調整に係る第1の調整機構を示すもので、（Ａ）はその斜視図、（Ｂ）はそのＫ矢視図である。図８（Ａ），（Ｂ）においては、装置フレーム２の上部に受け部４０が設けられている。この受け部４０は、装置フレーム２上に配置される第２の原稿台２０を支持するためのものである。
【００５３】
上記受け部４０は、装置フレーム２の一部を切開しかつ当該切開部分を外側に折り曲げた状態で略水平に配置形成されている。なお、ここでは装置フレーム２と一体に受け部４０を形成しているが、別部品で形成しても構わない。この受け部４０には、２本の雄ネジ４１Ａ，４１Ｂと１つのネジ孔４２が設けられている。各々の雄ネジ４１Ａ，４１Ｂは固定状態（回転ロック状態）で受け部４０に略垂直に立設されている。また、各々の雄ネジ４１Ａ，４１Ｂには、高さ調整用のナット４３Ａ，４３Ｂが回転自在に装着されている。
【００５４】
第２の原稿台２０には、長尺の平板構造をなす透明ガラスプレートが用いられている。第２の原稿台２０はその上面側の周縁部をホルダーフレーム４４に貼り付けた状態で支持されている。ホルダーフレーム４４は、例えば樹脂の一体成形や金属板の曲げ加工によって得られるものである。このホルダーフレーム４４は、第２の原稿台２０に両面テープ等によって固定されるガイド部４４Ａと、このガイド部４４Ａの側端から略直角に垂下した側壁部４４Ｂと、この側壁部４４Ｂの下端から略直角（水平方向）に延出した翼部４４Ｃとを有する一体構造になっている。なお、側壁部４４Ｂと翼部４４Ｃは、ホルダーフレーム４４の長辺方向の両サイドに設けられ、これに対応して装置フレーム２の受け部４０も両サイドに設けられている。ただし、図示しない片サイドでは、雄ネジとナットを組み合わせた調整用部品が一組だけ設けられている。
【００５５】
ホルダーフレーム４４の側壁部４４Ｂは、その上辺部が下辺部に対して傾きをもち、この傾きによって第２の原稿台２０が全体的に傾いた状態に支持されるものとなっている。また、ホルダーフレーム４４の翼部４４Ｃには、上記雄ネジ４１Ａ，４１Ｂが嵌合される２つの嵌合孔４５Ａ，４５Ｂが設けられている。
【００５６】
固定用ブラケット４６は、上記ホルダーフレーム４４を介して第２の原稿台２０を固定するためのもので、ステンレス等のバネ鋼材によって段付きの板状に形成されている。この固定用ブラケット４６は、上記段付き部分を境にして、一方を押さえ部４６Ａ、他方を固定部４６Ｂとして形成されている。押さえ部４６Ａには、上記雄ネジ４１Ａ，４１Ｂが嵌合される２つの嵌合孔４７Ａ，４７Ｂが設けられ、固定部４６Ｂには１つの固定用孔４８が設けられている。
【００５７】
上記構成からなる第1の調整機構において、装置フレーム２上に第２の原稿台２０を配置するにあたっては、先ず、ホルダーフレーム４４の翼部４４Ｃに設けられた２つの嵌合孔４５Ａ，４５Ｂを、それぞれに対応する雄ネジ４１Ａ，４１Ｂに嵌合させる。これにより、ホルダーフレーム４４の翼部４４Ｃは、各雄ネジ４１Ａ，４１Ｂに装着されたナット４３Ａ，４３Ｂ上面に当接した状態となる。
【００５８】
このとき、第２の原稿台２０は、ホルダーフレーム４４に貼着された状態で装置フレーム２上に配置される。また、装置フレーム２上では、第２の原稿台２０と第１の原稿台３との間に搬送シュート４９及びクッション部材（スポンジ等）５０が介在した状態となる。搬送シュート４９は、第２の原稿台２０上を通過した原稿を所定の方向に導いて排出させるためのものである。クッション部材５０は、第２の原稿台２０と搬送シュート４９との突き当て部分に隙間が生じないようにするためのもので、搬送シュート４９に両面テープ等を用いて貼り付けられている。
【００５９】
次いで、固定用ブラケット４６の押さえ部４６Ａに設けられた２つの嵌合孔４７Ａ，４７Ｂを、それぞれに対応する雄ネジ４１Ａ，４１Ｂに嵌合させる。これにより、固定用ブラケット４６の押さえ部４６Ａはホルダーフレーム４４の翼部４４Ｃ上に配置され、それと同時に固定用ブラケット４６の固定部４６Ｂが受け部４０上に配置される。
【００６０】
続いて、固定用ブラケット４６の固定用孔４８を通して固定ネジ５１を受け部４０のネジ孔４２に螺合させる。これにより、ホルダーフレーム４４の翼部４４Ｃは、固定用ブラケット４６の押さえ部４６Ａと２つのナット４３Ａ，４３Ｂとの間に挟まれたかたちで、固定用ブラケット４６の弾性力（バネ圧）により押圧固定される。
【００６１】
このような構成からなる第1の調整機構においては、受け部４０上の雄ネジ４１Ａ，４１Ｂに装着された２つのナット４３Ａ，４３Ｂをそれぞれ１回転させると、各々のナット４３Ａ，４３Ｂの装着位置がネジピッチ分だけ雄ネジ４１Ａ，４１Ｂの軸方向（上下方向）に移動する。これにより、ホルダーフレーム４４を受けるナット４１Ａ，４１Ｂの高さが変化し、これに連動して第２の原稿台２０の高さ位置も変化する。
【００６２】
また、上述したナット４３Ａ，４３Ｂの移動量及び移動方向は、それぞれナット４３Ａ，４３Ｂを回転させる量と回転させる方向に対応したものとなる。したがって、各ナット４３Ａ，４３Ｂの回転量及び回転方向を調整することにより、第２の原稿台２０の高さ方向の位置を任意に調整することができる。
【００６３】
このように第２の原稿台２０を高さ方向に位置調整可能な第1の調整機構を備えた画像読取装置においては、フルレートキャリッジ１０に搭載された第1ミラー６Ａと、第２の原稿台２０上に送られる原稿の被読取面との間の距離、ひいては先述した光学的距離を調整することが可能となる。これにより、第２の読み取りモードにおいて主走査方向の読取倍率を調整（微調整）することが可能になるため、第1の読み取りモードによる読取倍率と第２の読み取りモードによる読取倍率を機械的に合わせることができる。
【００６４】
図９は倍率調整に係る第２の調整機構を示す斜視図である。図９においては、装置フレーム２の上部に受け部５２が設けられている。この受け部５２は、装置フレーム２上に配置される第２の原稿台２０を支持するためのもので、上記第1の調整機構と同様に装置フレーム２の一部を切開しかつ当該切開部分を外側に折り曲げた状態で略水平に配置形成されている。受け部５２には２つのネジ孔５３Ａ，５３Ｂが設けられている。
【００６５】
支持ブラケット５４は、上記受け部５２に載置されて固定用ネジ５５Ａ，５５Ｂにより固定されるもので、例えば樹脂の一体成形や金属板の曲げ加工によって得られる。この支持ブラケット５４は、所定の角度で傾斜した傾き片５４Ａと、この傾き片５４Ａの端辺から略直角に垂下した側片５４Ｂと、この側片５４Ｂの下辺から略直角（水平方向）に延出した固定片５４Ｃと、上記側片５４Ｂの側辺から固定片５４Ｃと同一方向に略直角に曲げ成形された折り曲げ片５４Ｄとを有する一体構造になっている。このうち、傾き片５４Ａには２つのネジ孔５５Ａ，５５Ｂ、固定片５４Ｃには２つの嵌合孔５６Ａ，５６Ｂ、折り曲げ片５４Ｄには１つの嵌合孔５７がそれぞれ設けられている。
【００６６】
支持フレーム５８は、例えば樹脂の一体成形や金属板の曲げ加工によって得られるもので、第２の原稿台２０に両面テープ等によって固定されている。この支持フレーム５８には、第２の原稿台２０の貼着位置よりも外側に位置して２つの長孔５９Ａ，５９Ｂが設けられている。これらの長孔５９Ａ，５９Ｂは、支持フレーム５８に貼着される第２の原稿台（長尺の平板構造をなす透明ガラス）２０の短辺方向に沿った長孔形状となっている。さらに支持フレーム５８には調整用片５８Ａが一体に形成されている。この調整用片５８Ａは支持フレーム５８の両サイドから外側に突出する状態で形成されている。また、調整用片５８Ａには１つの調整用ネジ孔６０が設けられている。
【００６７】
上記構成からなる第２の調整機構において、装置フレーム２上に第２の原稿台２０を配置するにあたっては、先ず、受け部５２に支持ブラケット５４を載せる。このとき、支持ブラケット５４の固定片５４Ｃが受け部５２に当接した状態となる。次いで、支持ブラケット５４の固定片５４Ｃに設けられた２つの嵌合孔５６Ａ，５６Ｂにそれぞれ固定用ネジ６１Ａ，６１Ｂを通して受け部５２の各ネジ孔５３Ａ，５３Ｂに螺合させる。これにより、受け部５２上に支持ブラケット５４が固定された状態となる。
【００６８】
続いて、第２の原稿台２０を貼着済みの支持フレーム５８を支持ブラケット５４の傾き片５４Ａに載せるとともに、支持フレーム５８に設けられた２つの長孔５９Ａ，５９Ｂにそれぞれ固定用ネジ６２Ａ，６２Ｂを通して傾き片５４Ａの各ネジ孔５５Ａ，５５Ｂに螺合させる。これにより、支持ブラケット５４に支持フレーム５８が固定された状態となる。
【００６９】
この状態においては、支持ブラケット５４の折り曲げ片５４Ｄと支持フレーム５８の調整用片５８Ａとが所定の距離を隔てて対向し、かつ折り曲げ片５４Ｄに設けられた嵌合孔５７と調整用片５８Ａに設けられた調整用ネジ孔６０とが互いに略同軸上に配置される。また、装置フレーム２上では、上記第1の調整機構と同様に第２の原稿台２０と第１の原稿台３との間に搬送シュート４９及びクッション部材（スポンジ等）５０が介在した状態となる。その後は、調整用ネジ６３を嵌合孔５７に通して調整用ネジ孔６０に螺合させておく。
【００７０】
なお、ここでは支持ブラケット５４を受け部５２に固定した後に、支持フレーム５８を支持ブラケット５４に固定するとしたが、これと反対に、支持フレーム５８を支持ブラケット５４に固定してから、その支持ブラケット５４を受け部５２に固定してもよい。
【００７１】
このような構成からなる第２の調整機構においては、２つの固定用ネジ６２Ａ，６２Ｂの締め付けを緩めることにより、これら２つの固定用ネジ６２Ａ，６２Ｂとこれに対応する２つの長孔５９Ａ，５９Ｂとの寸法的なガタ分だけ、傾き片５４Ａに沿って支持フレーム５８を摺動させ、この支持フレーム５８と一体に第２の原稿台２０を図中ｆ１，ｆ２方向に移動させることができる。このとき第２の原稿台２０が移動する方向は、自動原稿送り装置９によって搬送される原稿の搬送方向に沿う方向となる。
【００７２】
また、２つの固定用ネジ６２Ａ，６２Ｂの締め付けを適度に緩めた状態（軽く締め付けた状態）で、調整用ネジ６３を所定の方向に回転させることにより、支持フレーム５８の調整用片５８Ａが支持ブラケット５４の折り曲げ片５４Ｄ側に引き寄せられて両者（５８Ａ，５４Ｃ）間の距離が縮まる。このとき、支持フレーム５８は支持ブラケット５４の傾き片５４Ａに沿って図中ｆ１方向に摺動し、これと一体に第２の原稿台２０もｆ１方向に移動する。また、このときの第２の原稿台２０の移動量は、調整用ネジ６３の回転量に対応したものとなる。
【００７３】
このことから、第２の原稿台２０を図中ｆ２方向に最も移動させた状態から、上述のように調整用ネジ６３を回転させることにより、図中ｆ１，ｆ２方向、すなわち原稿搬送方向に沿う方向で第２の原稿台２０の位置を調整（微調整）することが可能となる。
【００７４】
このように第２の原稿台２０を原稿搬送方向に沿う方向に位置調整可能な第２の調整機構を備えた画像読取装置においては、例えば上記第1応用例のように第２の原稿台２０の厚み寸法を変えて、その断面形状を略くさび状とした場合に、第２の原稿台２０をｙ１，ｙ２方向に移動させることで、画像読取位置における第２の原稿台２０の厚みが変化することになる。これにより、第２の原稿台２０を構成するガラスの屈折率と空気の屈折率の違いから、第２の原稿台２０の傾斜面２０Ａからイメージセンサ受光面までの絶対寸法を変えずに、その間の光学的な寸法を変化させることができる。これにより、上記第1の調整機構と同様に第２の読み取りモードにおいて主走査方向の読取倍率を調整（微調整）することが可能になるため、第1の読み取りモードによる読取倍率と第２の読み取りモードによる読取倍率を機械的に合わせることができる。
【００７５】
なお、上記第２の調整機構においては、第２の原稿台２０を位置調整する方向をｙ１，ｙ２方向としたが、これ以外にも、原稿搬送方向に沿う副走査方向に第２の原稿台２０を位置調整するものであっても主走査方向の読取倍率を調整することが可能となる。また、受け部５２と支持ホルダー５４とを一体構造で形成することも可能である。
【００７６】
【発明の効果】
以上説明したように本発明の画像読取装置によれば、搬送手段によって原稿が搬送される透明部材に傾斜面を設けることにより、読取手段による画像読取位置にゴミが停留することがなくなるため、読取画像に黒線や白抜け等の欠陥が生じるのを有効に防止することができる。
【図面の簡単な説明】
【図１】  本発明の実施形態に係る画像読取装置を示す概略図である。
【図２】  本発明の実施形態に係る画像読取装置の要部を示す図である。
【図３】  本発明の第１応用例の構成を示す図である。
【図４】  第１応用例の詳細を説明する図である。
【図５】  本発明の第２応用例を示すブロック図である。
【図６】  自動倍率調整のためのマーク形成位置を示す図である。
【図７】  自動倍率調整のための処理手順を示すフローチャートである。
【図８】  倍率調整に係る第１の調整機構を示す図である。
【図９】  倍率調整に係る第２の調整機構を示す斜視図である。
【図１０】  従来の画像読取装置の一例を示す概略図である。
【図１１】  従来の画像読取装置の他の例を示す概略図である。
【図１２】  従来の画像読取装置の一部拡大図である。
【符号の説明】
１…画像読取装置、３…第１の原稿台、４…原稿押さえ部材、５…照明ランプ、６Ａ，６Ｂ，６Ｃ…ミラー、７…レンズ、８…イメージセンサ、９…自動原稿送り装置、１０…フルレートキャリッジ、１１…ハーフレートキャリッジ、２０…第２の原稿台、２０Ａ…傾斜面、Ｆ…原稿搬送方向
【図１】
0003721930.tif 000002
【図２】
0003721930.tif 000003
【図３】
0003721930.tif 000004
【図４】
0003721930.tif 000005
【図５】
0003721930.tif 000006
【図６】
0003721930.tif 000007
【図７】
0003721930.tif 000008
【図８】
0003721930.tif 000009
【図９】
0003721930.tif 000010
【図１０】
0003721930.tif 000011
【図１１】
0003721930.tif 000012
【図１２】
0003721930.tif 000013